(57)【要約】【課題】オンラインサービスを利用した際の課金関連情報をその場で直ぐに確認できるようにすること。【解決手段】オンラインサービスのサイトにアクセスするためのオンラインモード通信部１０１、サイトから取得した取得情報の課金関連情報の有無を判断してオンラインモード通信部１０１の情報発信を管理する情報発信管理部１０８、情報発信管理部１０８により課金関連情報が有ると判断された場合に取得情報の取得過程の履歴情報の保存を指示するメイン制御部１０５、メイン制御部１０５の指示に従って履歴情報をバッファ１０４の一時格納領域または長期記憶媒体１０７に保存する格納領域制御部１０６、バッファ１０４の一時格納領域または長期記憶媒体１０７に保存した履歴情報を表示する表示部１０３、履歴情報のメールを設定宛先にメール送信するメール作成部１０９およびメール送信部１１０を具備する。【選択図】図１
2007228245.tif 000002
【特許請求の範囲】
【請求項１】
オンライン情報提供サービスのサイトにアクセスするための通信手段と、
前記通信手段により前記サイトから取得した取得情報の課金関連情報の有無を判断して前記通信手段の情報発信を管理する情報発信管理手段と、
前記サイトから取得した取得情報に前記課金関連情報が有ると前記情報発信管理手段が判断した場合に前記取得情報の取得過程の履歴情報の保存を指示する制御手段と、
前記制御手段の指示に従って前記履歴情報を保存する記憶手段と、
前記記憶手段に保存した前記履歴情報を表示する表示手段と、を具備する携帯端末装置。
【請求項２】
前記記憶手段は、情報を一時的に保存するバッファと、情報を長期間保存する長期記憶媒体と、からなり、
前記課金関連情報を前記バッファまたは前記長期記憶媒体のいずれに保存するかを制御する格納領域制御手段を具備する請求項１記載の携帯端末装置。
【請求項３】
前記制御手段の指示により前記課金関連情報を送信するためのメールを作成するメール作成手段と、前記メール作成部で作成されたメールを指定したメール受信者宛に送信するメール送信手段と、を具備する請求項１または請求項２記載の携帯端末装置。
【発明の詳細な説明】
【技術分野】
【０００１】
本発明は、無線通信網を通じてコンテンツ提供会社（ＩＰ：Information Provider）が提供している様々なコンテンツを購読することができるオンライン情報提供サービス機能を備えた携帯端末装置に関する。
【背景技術】
【０００２】
オンライン情報提供サービス機能を備えた携帯端末装置は、電子メールの送受信、銀行振り込み、コンサートチケットの予約、ニュースや地図情報の閲覧、およびオンラインゲームのプレイ、有料コンテンツの購読など、様々なサービスを利用することができる。
【０００３】
このような携帯端末装置のオンライン情報提供サービスとしては、ｉモード（登録商標）、ＥＺｗｅｂ（登録商標）、Ｊ−Ｓｋｙ（登録商標）などが知られている。
【０００４】
以下、これらのオンライン情報提供サービスを単に「オンラインサービス」といい、携帯端末装置でオンラインサービスを利用するモードを「オンラインモード」ということとする。
【０００５】
オンラインサービスを利用してオンラインサービスサイトから取得したコンテンツデータは、携帯端末装置のメモリに保存されて使用されるが、携帯端末装置のメモリは、容量がさほど大きくなく、コンテンツデータの格納領域も限られている。
【０００６】
このため、この種の携帯端末装置においては、メモリの格納領域の空き容量が無くなったら格納済みのコンテンツデータを適宜削除する必要があり、大量のコンテンツデータをいつまでも保存しておくことができない。
【０００７】
そこで、従来、この種の携帯端末装置として、通信状況を大量に保存するとともに簡単に管理・解析することができるようにしたものが提案されている（例えば、特許文献１参照）。
【０００８】
特許文献１記載の携帯端末装置のＣＰＵは、通信があるたびに通信記録部に通信記録情報を記録する。また、ＣＰＵは、通信記録部に記録された通信記録情報が一定量に達したとき、通信記録部に記憶した通信記録情報を送信アドレス設定部に設定したメールアドレスの端末装置にメール送信し、端末装置で携帯端末装置の通信記録の管理と解析を行う。
【０００９】
この携帯端末装置は、通信記録部に記録された通信記録情報を端末装置にメール送信することで、通信記録部の記憶容量が少ない場合でも、端末装置に大量の通信記録情報を保存して管理・解析することができる。
【００１０】
また、この携帯端末装置は、通信記録部に記録した通信記録情報を端末装置にメール送信した後、通信記録部に記録された通信記録情報を削除することで、通信記録部として大容量のメモリを設けないで済む。
【特許文献１】特開２００４−１０４７３１号公報
【発明の開示】
【発明が解決しようとする課題】
【００１１】
ところで、近年、前述のようなオンラインサービス機能を備えた携帯端末装置においては、ユーザが実際には購読していないコンテンツの課金関連情報をもとに捏造された架空請求を受けることがある。
【００１２】
このような架空請求による被害を回避するには、受信した課金関連情報がオンラインサービスを利用する際に契約を交わした正規の課金関連情報に適合しているか否かをユーザがよく確認することが好ましい。
【００１３】
しかしながら、特許文献１記載の携帯端末装置では、通信があるたびに通信記録部（メモリ）に通信記録情報を記録するようになっているため、メモリには雑多な情報が混在して多数記録されており、ユーザが欲しい情報をその場で直ぐに確認することが難しい。
【００１４】
また、この携帯端末装置では、通信記録部に記憶した通信記録情報を送信アドレス設定部に設定したメールアドレスの端末装置にメール送信し、端末装置で携帯端末装置の通信記録の管理と解析を行うようになっているため、ユーザが端末装置から離れている場所では通信記録の管理と解析を直ぐに行うことができない。
【００１５】
このように、従来の携帯端末装置においては、正規の課金関連情報をその場で直ぐに確認することが難しいため、受信した課金関連情報に架空請求が含まれていてもユーザが不正に気付かずに応じてしまうおそれがある。
【００１６】
本発明の目的は、オンラインサービスを利用した際の課金関連情報をその場で直ぐに確認することができる携帯端末装置を提供することにある。
【課題を解決するための手段】
【００１７】
かかる課題を解決するため、本発明の携帯端末装置は、オンライン情報提供サービスのサイトにアクセスするための通信手段と、前記通信手段により前記サイトから取得した取得情報の課金関連情報の有無を判断して前記通信手段の情報発信を管理する情報発信管理手段と、前記サイトから取得した取得情報に前記課金関連情報が有ると前記情報発信管理手段が判断した場合に前記取得情報の取得過程の履歴情報の保存を指示する制御手段と、前記制御手段の指示に従って前記履歴情報を保存する記憶手段と、前記記憶手段に保存した前記履歴情報を表示する表示手段と、を具備する構成を採る。
【発明の効果】
【００１８】
本発明によれば、オンラインサービスサイトから取得した受信情報に課金関連情報が有ると判断された場合に限って課金関連情報を記憶手段に保存するようにしているので、記憶手段に雑多な情報が混在して多数記憶されることがなく、課金請求を受けた際に、保存している課金関連情報を表示してユーザが架空請求か否かをその場で素早く確認することができる。
【発明を実施するための最良の形態】
【００１９】
以下、本発明の実施の形態について、図面を参照して詳細に説明する。
【００２０】
まず、図１を参照して、本発明の一実施の形態に係る携帯端末装置の構成について説明する。図１は、本発明の一実施の形態に係る携帯端末装置の概略構成を示すブロック図である。
【００２１】
図１に示すように、本例の携帯端末装置１００は、オンラインモード通信部１０１、操作部１０２、表示部１０３、バッファ１０４、メイン制御部１０５、格納領域制御部１０６、長期記憶媒体１０７、情報発信管理部１０８、メール作成部１０９、メール送信部１１０、を備えている。
【００２２】
図１において、オンラインモード通信部１０１は、無線通信網を介してオンラインサービス提供会社が提供しているインターネット上などのサイト（以下、「オンラインサービスサイト」という）のサーバーと交信する。
【００２３】
操作部１０２は、ユーザが操作するためのテンキーやファンクションキーなどを有しており、オンラインモードやメール送信モードなどの各種モードを実行する際のユーザ操作によるキー入力信号をメイン制御部１０５に送る。
【００２４】
表示部１０３は、ユーザ操作により選択された各種モードの操作画面、オンラインサービスサイトから取得したコンテンツ情報（取得情報）、バッファ１０４に格納されている履歴情報、および長期記憶媒体１０７に保存されている課金関連情報などを表示する。
【００２５】
バッファ１０４は、オンラインサービスを利用する際のオンラインモード専用のＲＡＭなどの記憶媒体からなり、オンラインサービスサイトから取得したコンテンツ情報などに関する履歴情報を一時格納する。
【００２６】
バッファ１０４は、格納可能な格納件数および保存データ１件当たりの格納容量が予め規定されている。
【００２７】
バッファ１０４に格納される保存データのデータ構成は、タイムスタンプ（ＵＲＬ毎に保存）、ホスト情報（ＵＲＬを含む）、画像情報（ＨＴＭＬ画面、およびダウンロード確認画面などの携帯端末装置側で表示している独自画面）、タイトル名（初期名称は、先頭に表示する画面のタイムスタンプ）などから成る。
【００２８】
バッファ１０４は、格納件数が規定件数を超えてしまう場合、格納領域制御部１０６の指示により最も古い保存データを自動的に消去し、最新のデータを保存することが可能である。
【００２９】
バッファ１０４に格納されている保存データは、操作部１０２の操作によりタイトル名を指定することにより、指定したデータを、長期記憶媒体１０７にコピーしたり、メール作成部１０９で作成したメールの添付データとしてメール送信部１１０により送信したりすることが可能である。ここで、バッファ１０４に格納されている保存データは、操作部１０２の操作によらずに、自動的にメール送信することも可能である。
【００３０】
また、バッファ１０４に格納されている保存データは、操作部１０２の操作によりタイトル名を指定することにより、指定したデータを削除することが可能である。
【００３１】
さらに、バッファ１０４に格納されている保存データは、タイムスタンプやホスト情報によるデータソートが可能である。
【００３２】
長期記憶媒体１０７は、ＲＯＭなどの不揮発性記憶媒体からなり、オンラインサービスサイトから取得したコンテンツ情報に含まれる課金関連情報や履歴情報などを適時記憶する。
【００３３】
長期記憶媒体１０７は、格納可能な格納件数および保存データ１件当たりの格納容量がバッファ１０４の格納件数および格納容量よりも大きい。なお、長期記憶媒体１０７の格納件数および格納容量は長期記憶媒体１０７の制限に従う。
【００３４】
長期記憶媒体１０７に格納された保存データは、最も古い保存データであっても、バッファ１０４に格納されている保存データのように自動的に消去されることがない。
【００３５】
また、長期記憶媒体１０７に格納されている保存データは、操作部１０２の操作により指定することにより、指定したデータをメール作成部１０９で作成したメールの添付データとしてメール送信部１１０により送信することが可能である。
【００３６】
また、長期記憶媒体１０７に格納されている保存データは、操作部１０２の操作により指定することにより、指定したデータを削除することが可能である。
【００３７】
さらに、長期記憶媒体１０７に格納されている保存データは、タイムスタンプやホスト情報によりデータソートすることが可能である。
【００３８】
なお、長期記憶媒体１０７に格納される保存データのデータ構成は、バッファ１０４に格納される保存データのデータ構成と同じである。
【００３９】
格納領域制御部１０６は、メイン制御部１０５から渡された課金関連情報や履歴情報などの保存データ（タイムスタンプおよびホスト情報を含む）を、バッファ１０４または長期記憶媒体１０７の何れに格納するか制御する。また、格納領域制御部１０６は、保存データの容量の管理、削除処理、ソート処理などを行う。
【００４０】
情報発信管理部１０８は、課金関連情報の受信の管理、オンラインモードでの送信および携帯端末情報（オンラインモード用のパスワード）の照合結果の管理、ホスト情報の管理などを行う。
【００４１】
メール作成部１０９は、メイン制御部１０５から渡された課金関連情報や履歴情報などの保存データを送信するためのメールを作成する。
【００４２】
メール送信部１１０は、ユーザが設定した大容量メモリを有する端末装置（例えば、ユーザの自宅のパーソナルコンピュータ）のメールアドレス宛に、メール作成部１０９で作成したメールを送信する。
【００４３】
メイン制御部１０５は、課金関連情報や履歴情報などの一時保存動作や長期保存動作、およびメール作成などのユーザ指定動作を制御する。
【００４４】
また、メイン制御部１０５は、格納領域制御部１０６における課金関連情報や履歴情報などの保存開始動作および保存終了動作を制御する。
【００４５】
また、メイン制御部１０５は、オンラインモード通信部１０１の課金関連情報受信時および格納領域制御部１０６の保存動作終了時におけるメール作成部１０９のメール作成動作を制御する。
【００４６】
また、メイン制御部１０５は、操作部１０２の操作時、格納領域制御部１０６による課金関連情報や履歴情報などの一時保存時や長期保存時、およびメール作成部１０９によるメール作成時などにおける手動動作を制御する。
【００４７】
また、メイン制御部１０５は、長期記憶媒体１０７に格納されている保存データを表示部１０３に表示する際の保存データ表示動作を制御する。
【００４８】
また、メイン制御部１０５は、長期記憶媒体１０７に格納されている保存データを長期記憶媒体１０７から削除する際の保存データ削除動作を制御する。
【００４９】
次に、図２を参照して、本発明の一実施の形態に係る携帯端末装置のオンラインモード起動時の動作について説明する。図２は、本発明の一実施の形態に係る携帯端末装置の動作を説明するためのフローチャートである。
【００５０】
図２において、携帯端末装置１００が契約しているオンラインモードがスタート（起動）すると、まず、ユーザ操作の有無を判断する（ステップＳＴ２０１）。ここでは、例えば、所望のオンラインサービスサイトにアクセスするためにユーザが操作部１０２のキー操作を行い、メイン制御部１０５が操作部１０２からのキー入力信号を受け取った場合にユーザ操作が有りと判断する。
【００５１】
ステップＳＴ２０１において、ユーザ操作が無いと判断した場合にはユーザ操作が行われるまで待機する。ステップＳＴ２０１において、ユーザ操作が有りと判断した場合には、バッファ１０４に保存されている履歴情報の中に、今回アクセスしようとしているオンラインサービスサイトのコンテンツ情報と同じ履歴情報が有るか否か判断する（ステップＳＴ２０２）。
【００５２】
ステップＳＴ２０２において、今回アクセスしようとしているオンラインサービスサイトのコンテンツ情報と同じ履歴情報がバッファ１０４に有ると判断した場合には、ステップＳＴ２０１の動作に戻る。
【００５３】
ステップＳＴ２０２において、今回アクセスしようとしているオンラインサービスサイトのコンテンツ情報と同じ履歴情報がバッファ１０４に無いと判断した場合には、アクセスしたオンラインサービスサイトのページ取得動作（コンテンツ情報を表示部１０３に表示するなどの動作）を実行する（ステップＳＴ２０３）。
【００５４】
次いで、情報発信管理部１０８により、ステップＳＴ２０３でのページ取得動作でオンラインサービスサイトから取得した受信情報（コンテンツ情報など）に未課金情報などの課金関連情報が含まれているか否か判断する（ステップＳＴ２０４）。
【００５５】
ステップＳＴ２０４において、課金関連情報の受信が無いと判断した場合には、ステップＳＴ２０３でのページ取得動作により受信した取得ページを表示部１０３に表示（ステップＳＴ２０５）して、ステップＳＴ２０１の動作に戻る。
【００５６】
ステップＳＴ２０４において、課金関連情報の受信が有りと判断した場合には、オンラインサービス契約時に登録した携帯端末情報としてのオンラインモード用のパスワードを送信したか否か判断する（ステップＳＴ２０６）。
【００５７】
ステップＳＴ２０６において、ユーザがパスワードを送信しないとの判断を下した場合には、ステップＳＴ２０１のユーザ操作に戻る。
【００５８】
一方、ステップＳＴ２０６において、ユーザがパスワードを送信した場合には、情報発信管理部１０８により、送信したパスワードがＯＫ（適合）であるとの照合結果をオンラインサービスサイトから受信したか否か判断する（ステップＳＴ２０７）。
【００５９】
ステップＳＴ２０７において、送信したパスワードがＮＧ（不適合）であるとの照合結果を受信した場合には、ステップＳＴ２０６に戻ってユーザによるパスワードの再送信を待つ。
【００６０】
ステップＳＴ２０７において、送信したパスワードがＯＫ（適合）であるとの照合結果を受信した場合には、オンラインモード専用のバッファ１０４の一時格納領域に格納されている現在の履歴情報を参照する（ステップＳＴ２０８）。
【００６１】
そして、ステップＳＴ２０８での参照結果に基づいて、ステップＳＴ２０９の長期記憶媒体１０７への保存開始、ステップＳＴ２１０のバッファ１０４の一時格納領域への保存開始、ステップＳＴ２１１の設定宛先へのメール送信、のうちの少なくとも１つの動作をユーザが指定する。なお、上述の動作は、ユーザの操作によらず自動的に開始することも可能である。
【００６２】
ここで、ユーザがステップＳＴ２０９の長期記憶媒体１０７への保存開始を指定した場合、あるいはユーザがステップＳＴ２１０のバッファ１０４の一時格納領域への保存開始を指定した場合には、（１）現在の履歴情報（バッファ領域の制限あり）の先頭から保存、（２）現在の履歴情報（バッファ領域の制限あり）で課金関連情報を受信したホスト情報と同じＵＲＬ（Uniform Resource Locator）の先頭から保存、（３）現在の履歴情報から保存開始位置を手動で指定した内容を保存、などの動作を実行する。
【００６３】
また、ユーザがステップＳＴ２１１の設定宛先へのメール送信を指定した場合には、（１）パスワード照合結果ＯＫのタイムスタンプ、（２）課金関連情報（未課金情報など）を受信したホスト情報（ＵＲＬを含む）、を予めユーザが設定した特定のメールアドレス宛に、メール送信部１１０により自動送信（または手動送信）する動作を実行する。
【００６４】
次いで、上述の保存開始動作が実行され、表示部１０３に表示される画面の指示に従って操作部１０２のキーを操作するユーザ操作が行われる（ステップＳＴ２１２）。
【００６５】
そして、（１）保存内容が一定の容量に達した場合、（２）課金関連情報（未課金情報など）を受信したホスト情報と違うＵＲＬを参照した場合、（３）課金処理を終了した場合、（４）終了通知（手動）を受信した場合に、ステップＳＴ２１３の長期記憶媒体１０７への保存終了、ステップＳＴ２１４のバッファ１０４の一時格納領域への保存終了、ステップＳＴ２１５の設定宛先へのメール送信、の動作が実行される。
【００６６】
また、上述の保存動作の終了時には、（１）パスワード照合結果ＯＫのタイムスタンプ、（２）課金関連情報（未課金情報など）を受信したホスト情報（ＵＲＬを含む）、（３）バッファ１０４に一時格納されている保存データ、の情報を予めユーザが設定した特定のメールアドレス宛に、メール送信部１１０により自動又は手動でメール送信する。
【００６７】
そして、所定の保存動作あるいはメール送信の終了後、ユーザによるオンラインモード終了操作の有無を判断する（ステップＳＴ２１６）。
【００６８】
ステップＳＴ２１６において、タイムアウトによりユーザによるオンラインモードの終了操作が無いと判断された場合には、ステップＳＴ２０１に戻って、次のユーザ操作があるまで待機する。
【００６９】
一方、ステップＳＴ２１６において、ユーザによるオンラインモードの終了操作有りと判断された場合には、本例の携帯端末装置１００のオンラインモードのプログラム動作が終了する。
【００７０】
上述のように、本例の携帯端末装置１００においては、図２のステップＳＴ２０４において、オンラインサービスサイトから受信したコンテンツ情報に、未課金情報などの課金関連情報が含まれているか否かを判断している。
【００７１】
そして、ステップＳＴ２０４において課金関連情報を受信した場合に限って、受信した課金関連情報を、長期記憶媒体１０７またはバッファ１０４の一時記憶領域に保存したり、設定宛先へメール送信したりしている。
【００７２】
従って、本例の携帯端末装置１００においては、長期記憶媒体１０７やバッファ１０４の一時記憶領域、および設定宛先のメールアドレスに、受信した課金関連情報が雑多な他の取得情報とともに混在して多数記憶されることがなく、長期記憶媒体１０７やバッファ１０４を有効に活用することができる。
【００７３】
また、本例の携帯端末装置１００においては、課金請求を受けた際に、長期記憶媒体１０７やバッファ１０４の一時記憶領域に保存している課金関連情報を表示部１０３に表示することで、請求された課金情報が架空のものであるか否かをユーザがその場で素早く確認することができる。
【００７４】
例えば、本例の携帯端末装置１００では、何らかの課金請求を受けた場合、ユーザは、図３に示すように、バッファ１０４の一時格納領域、あるいは長期記憶媒体１０７に保存した履歴情報を、オンラインサービスのモード履歴一覧画面１０３Ａとして、タイムスタンプが古い順に表示部１０３に表示する。
【００７５】
次いで、ユーザは、表示部１０３に表示されたモード履歴一覧の中から該当する履歴情報（ここでは、タイムスタンプが２００４１２１０の履歴情報）を選択し、選択した履歴情報（ここでは着メロ購読情報）のトップページ（ここでは、１／５ページ）のモード履歴画面１０３Ｂを表示部１０３に表示する。
【００７６】
次いで、ユーザは、表示部１０３に表示された履歴情報の課金関連情報を確認するために、操作部１０２のナビキーを押下（ここでは右押下）して、選択した履歴情報の課金関連情報ページ（ここでは、２／５ページ）のモード履歴画面１０３Ｃを表示部１０３に表示する。
【００７７】
これにより、ユーザは、モード履歴画面１０３Ｃの表示内容が未登録の履歴情報であるところから、請求された課金情報が架空のものであることを知ることができる。
【００７８】
このように、本例の携帯端末装置１００は、オンラインサービスを利用した際に、ユーザが有料コンテンツの契約内容を了承したか否かの過程を履歴情報として自動（もしくは手動）保存し、必要に応じて保存した履歴情報を素早く表示することができるので、仮に架空請求を受けても、請求相手との交渉時や訴訟時に保存したデータをもとに契約内容を提示して解決することが可能になる。
【産業上の利用可能性】
【００７９】
本発明に係る携帯端末装置は、課金請求を受けた際に、保存している課金関連情報を表示してユーザが架空請求か否かをその場で素早く確認することができるので、無線通信網を通じてコンテンツ提供会社が提供している様々なコンテンツを購読することができるオンライン情報提供サービス機能を備えた携帯端末装置として有用である。
【図面の簡単な説明】
【００８０】
【図１】本発明の一実施の形態に係る携帯端末装置の概略構成を示すブロック図
【図２】本発明の一実施の形態に係る携帯端末装置の動作を説明するためのフローチャート
【図３】本本発明の一実施の形態に係る携帯端末装置の表示部に表示されたオンラインサービスのモード履歴画面を示す概略図
【符号の説明】
【００８１】
１００  携帯端末装置
１０１  オンラインモード通信部
１０２  操作部
１０３  表示部
１０４  バッファ
１０５  メイン制御部
１０６  格納領域制御部
１０７  長期記憶媒体
１０８  情報発信管理部
１０９  メール作成部
１１０  メール送信部
【図１】
2007228245.tif 000003
【図２】
2007228245.tif 000004
【図３】
2007228245.tif 000005